(57)【要約】【課題】部位により異なる伸縮性を有し、フィット性、安定性、着用感や、外観性が向上したショーツまたはガードルを一連の編地で形成可能なショーツまたはガードル用伸縮性編地を提供する。【解決手段】編幅方向に亘る低伸度領域をコース方向に一定間隔で設け、編幅方向の一方の端部側を一定幅でコース方向に強伸度領域とし、低伸度領域からコース方向に一定の範囲で、強伸度領域が設けられていない編幅方向の端部側を編幅方向の中心方向に傾斜させて幅が狭くなる形状とした細幅部を設け、編幅方向に一定幅の太幅部と細幅部が交互に連続形成され、低伸度領域と、前身頃側を除く強伸度領域とにおける柄密度を高くし、前身頃相当部側の柄密度を、臀部相当部より高く、低伸度領域及び前身頃側を除く強伸度領域より低くしてなる。【選択図】図１
0003123536.tif 000002
【実用新案登録請求の範囲】
【請求項１】
編地の表面にレース柄が形成された細幅の伸縮性編地であって、編幅方向に亘る編密度の高い低伸度領域をコース方向に一定間隔で設けるとともに、編幅方向の一方の端部側を一定幅でコース方向に強伸度領域とし、前記低伸度領域からコース方向に一定の範囲で、強伸度領域が設けられていない編幅方向の端部側を編幅方向の中心方向に傾斜させて幅が狭くなる形状とした細幅部を設け、編幅方向に一定幅の太幅部と前記細幅部が交互に連続形成され、また、前記低伸度領域と、前身頃側を除く強伸度領域とにおける柄密度を高くしてなり、さらに、ショーツまたはガードル形成時の前身頃側の柄密度を、臀部相当部より高く、前記低伸度領域及び前身頃側を除く強伸度領域より低くしてなることを特長とするショーツまたはガードル用伸縮性編地。
【請求項２】
さらに、ショーツまたはガードル形成時に後ろ中心部となる部分の柄密度を高くしてなることを特長とする請求項１記載のショーツまたはガードル用伸縮性編地。
【請求項３】
前記低伸度領域を脇部に、前記強伸度領域を股布部の前部から後部に亘る裾廻り部に当接するよう請求項１または２に記載のショーツまたはガードル用伸縮性編地を使用して形成されるショーツまたはガードル。
【考案の詳細な説明】
【技術分野】
【０００１】
本考案は、ショーツまたはガードルの形成に使用される伸縮性編地に関し、さらに該伸縮性編地により形成したショーツまたはガードルに関するものである。
【背景技術】
【０００２】
従来より、ショーツまたはガードルには、身体へのフィット性や、安定性、外観性の向上のために伸縮性編地で形成されたものがある。しかし、必要とされる伸縮性が部位により異なるため、例えば、強い伸縮力を必要とする裾廻り部のみ、異なる伸縮性素材を使用したり、伸縮性テープ材を取り付ける方法を用いていたが、縫製や別部材に取り付けによって生じる段差が身体に食い込むなどの着用感の低下や、縫合線や段差による外観性の低下、製造工程が複雑になるなどの問題があった。
【０００３】
一連の編地に異なる伸縮力を持たせた伸縮性編地も種々存在しているが（下記特許文献１〜８）、身体の各部位に対応した伸縮性を有するショーツまたはガードル用としては不足であった。また、着用感の向上を目的として編幅を変化させた飾りレースもあるが（下記特許文献９）、身体の各部位に対応した伸縮性を備えるものではなかった。
【特許文献１】特公平７−１１６６６３公報
【特許文献２】実用新案登録第２５２３３８８号公報
【特許文献３】実用新案登録第３００８７３７号公報
【特許文献４】特許第３２３４４３８号公報
【特許文献５】特許第３０２０８６３号公報
【特許文献６】特許第３０２３３５４号公報
【特許文献７】特開２００２−３２７３５９公報
【特許文献８】特開２００２−１４６６５５公報
【特許文献９】特開２００１−２２６８０３公報
【考案の開示】
【考案が解決しようとする課題】
【０００４】
本考案は、一連の編地で、他の部材用いることなく部位により異なる伸縮性を有してフィット性や着用感、安定性、外観性に優れるショーツまたはガードルを形成可能なショーツまたはガードル用伸縮性編地を提供することを目的とする。
【課題を解決するための手段】
【０００５】
上記の課題を解決するために、本考案は、次の様なショーツまたはガードル用伸縮性編地を提供するものである。
【０００６】
（１）編地の表面にレース柄が形成された細幅の伸縮性編地であって、編幅方向に亘る編密度の高い低伸度領域をコース方向に一定間隔で設けるとともに、編幅方向の一方の端部側を一定幅でコース方向に強伸度領域とし、前記低伸度領域からコース方向に一定の範囲で、強伸度領域が設けられていない編幅方向の端部側を編幅方向の中心方向に傾斜させて幅が狭くなる形状とした細幅部を設け、編幅方向に一定幅の太幅部と前記細幅部が交互に連続形成され、また、前記低伸度領域と、前身頃側を除く強伸度領域とにおける柄密度を高くしてなり、さらに、ショーツまたはガードル形成時の前身頃側の柄密度を、臀部相当部より高く、前記低伸度領域及び前身頃側を除く強伸度領域より低くしてなることを特長とするショーツまたはガードル用伸縮性編地。
【０００７】
（２）さらに、ショーツまたはガードル形成時に後ろ中心部となる部分の柄密度を高くしてなることを特長とする前記（１）記載のショーツまたはガードル用伸縮性編地。
【０００８】
（３）前記低伸度領域を脇部に、前記強伸度領域を股布部の前部から後部に亘る裾廻り部に当接するよう前記（１）または（２）に記載のショーツまたはガードル用伸縮性編地を使用して形成されるショーツまたはガードル。
【考案の効果】
【０００９】
（１）本考案のショーツまたはガードル用伸縮性編地は、編幅方向に亘る編密度の高い低伸度領域をコース方向に一定間隔で設けるとともに、編幅方向の一方の端部側を一定幅でコース方向に強伸度領域とするため、前記低伸度領域を脇部に、前記強伸度領域を股布部の前部から後部に亘る裾廻り部に当接することにより、伸縮性付与のために伸縮性テープ材や裏打ち布などの他の部材を使用せずに一連の編地で部位により異なる伸縮性を有するショーツまたはガードルを形成可能となる。このようにして形成されたショーツまたはガードルは、脇部が低伸度領域であるため、脇部の安定性が向上し、また裾廻り部が強伸度領域からなるため、裾廻り部が安定し、ヒップアップ機能も付与される。また、上端縁部は強伸度領域とならないため、ウエスト部に食い込みや捲れ等が生じにくい。従って、捲れやずり上がり、ずり下がりが生じず、ショーツまたはガードルの全体のフィット性や、安定性の向上、別部材を使用しないことによる着用感や、外観性の向上が得られる。さらに、製造時に編幅を変化させているため、工程も少なくすることができてコスト的にも有利となる。
【００１０】
また、前記低伸度領域と、前身頃側を除く強伸度領域とにおける柄密度を高くすることにより、編幅方向の伸縮性を少なくし、ショーツまたはガードル形成時に、脇部及び臀部下の裾廻り部のサポート性が向上する。
【００１１】
さらにショーツまたはガードル形成時の前身頃側の柄密度を、臀部相当部より高く、前記低伸度領域及び前身頃側を除く強伸度領域より低くすることにより、着用時の腹部のサポート性が向上する。
【００１２】
（２）本考案のショーツまたはガードル用伸縮性編地は、さらに、ショーツまたはガードル形成時に後ろ中心部となる部分の柄密度を高くすることにより、着用時の臀裂部に沿ったサポート性が向上し、臀部の補整効果に優れる。
【００１３】
（３）本考案のショーツまたはガードルは、上記構成のショーツまたはガードル用伸縮性編地を用い、低伸度領域を脇部に、強伸度領域を股布部の前部から後部に亘る裾廻り部に当接するよう形成されるため、フィット性や、安定性、着用感、外観性に優れ、コスト的にも有利に製造できる。
【考案を実施するための最良の形態】
【００１４】
以下、図面を用いて、本考案を詳細に説明するが、本考案は下記の実施形態に限定されるものではない。
【００１５】
［実施形態１］
図１は、本考案の実施形態であるショーツまたはガードル用伸縮性編地における伸度の異なる領域の区分を示す説明図である。図１におけるショーツまたはガードル用伸縮性編地（以下、伸縮性編地と略することもある。）は細幅の伸縮性編地であって、編幅方向（図１中、両矢印Ｘ方向）に亘る編密度の高い低伸度領域ａをコース方向（図１中、両矢印Ｙ方向）に一定間隔で設けるとともに、編幅方向の一方の端部側を一定幅でコース方向に強伸度領域ｂとする。前記低伸度領域ａおよび強伸度領域ｂ以外の領域ｃ、ｃ’は、両方の中間程度の伸度（中伸度領域とする）で、ショーツまたはガードル形成時の腹部相当部および臀部相当部における所望の伸度とする。
【００１６】
前記低伸度領域ａは、編地の編密度を高くすることにより形成される。
【００１７】
前記低伸度領域ａは、ショーツまたはガードル形成時に脇部に当接するように配置するため、脇部において所望の安定性を発現できればその面積や平面形状は特に限定されず、略四角形あるいは略平行四辺形の形状とするが、ショーツまたはガードル形成時の腹部及び臀部の形状を考慮して、好ましくは編幅方向に対し−２０〜２０度以下の傾斜（図１中、傾斜角度ｒで示される。）を有する略平行四辺形とするのがよく、またコース方向に沿って６〜１０ｃｍの幅を有するのが好ましい
【００１８】
本考案の伸縮性編地は、ポリウレタン繊維糸などの伸縮性繊維糸を挿入することにより伸縮性を付与する。通常、伸縮性繊維糸は、コース方向に挿入されるのが一般的である。本考案において、前記強伸度領域ｂは、伸縮性繊維糸の太さや挿入本数（糸密度）を変化させることにより形成される。ポリウレタン繊維糸を使用する場合、前記強伸度領域ｂにおいて、糸の太さは、１４０〜１８０デニールであるのが好ましく、糸密度は、好ましくは中伸度領域ｃ、ｃ’の１．３〜１．８倍、さらに好ましくは１．５倍程度であるのがよい。１．８倍を超えると着用時にきつくなり、１．３倍未満であると安定性が発現しにくい。
【００１９】
前記強伸度領域ｂの幅は、３〜４ｃｍであるのが好ましい。広すぎると、ショーツまたはガードル形成時に裾廻り部以外も強伸度領域となり、細すぎると着用感が低下し、安定しにくい。なお、伸縮性編地の編幅方向端部にレースのスカラー部分を有する場合は、強伸度領域ｂの幅はスカラー部分の谷部から内側方向の幅とする。スカラー部分自体も必要に応じ強伸度領域とできる。
【００２０】
本考案の伸縮性編地は、低伸度領域からコース方向に一定の範囲で、強伸度領域が設けられていない編幅方向の端部側を編幅方向の中心方向に傾斜させて幅が狭くなる形状とした細幅部を設け、編幅方向に一定幅の太幅部と前記細幅部が交互に連続形成されている構成とする。このような構成とすることにより、他部材で履き込み部分の不足分を補うことなく、本考案のショーツまたはガードル用伸縮性編地のみで所望の形状を形成可能となる。図１の伸縮性編地は、概ね低伸度領域ａの開始位置に相当する位置Ｓから強伸度領域が設けられていない編幅方向の端部側１が編幅方向の中心方向に幅が狭くなる様傾斜しており、太幅部２と細幅部３が交互に連続形成されている。細幅部３の端部側の傾斜は（図１中、傾斜角ｒ’で示される。）、形成されるショーツまたはガードルの形状によって決定されるが、通常８〜１２度であるのが好ましい。
【００２１】
本考案の伸縮性編地は、編地の表面にレース柄が形成されたものであって、具体的にはラッセルレース、リバーレース等が挙げられる。本考案においては、前記低伸度領域と、前身頃側を除く強伸度領域とにおける柄密度を高くする。図１において、本考案の伸縮性編地における柄密度の異なる領域の区分を示す。本考案の伸縮性編地は、低伸度領域ａと、強伸度領域ｂの前身頃側を除く領域（図１中斜線で示される。）の柄密度を高くすることにより、編幅方向の伸縮性を少なくし、ショーツまたはガードル形成時に、脇部及び臀部下の裾廻り部のサポート性が向上する。
【００２２】
また、ショーツまたはガードル形成時の前身頃側（図１中、網掛け部で示される。）の柄密度を、臀部相当部（図１中、ｃ’で示される。）より高く、前記低伸度領域及び前身頃側を除く強伸度領域（図１中斜線で示される。）より低くすることにより、着用時の腹部のサポート性が向上する。
【００２３】
さらに上記範囲に加えて、図５に示すように、低伸度領域ａと、強伸度領域ｂの前身頃側を除く領域に加えて、さらに、ショーツまたはガードル形成時に後ろ中心部となる部分（図５中、ｃ’’で示される。）の柄密度を高くしてもよい。このようにすることにより、着用時の臀裂部に沿ったサポート性が向上し、臀部の補整効果に優れる。図５においては、柄密度の高い部分を斜線で示す。
【００２４】
本考案の伸縮性編地は、図１に示すような構成がコース方向に繰り返して連続的に形成されているが、ショーツまたはガードル形成時に左右の身頃で各領域が対称となるため、反転された領域形状を交互に形成し、対称形状の領域を左右一対の身頃形成用とすることにより、１連の伸縮性布地からショーツまたはガードルを形成できる。図２は、図１の構成の領域および反転された領域形状を交互に形成した場合の繰り返し１単位分を示す説明図である。図２の伸縮性編地は一点鎖線Ｍを挟んでａ、ｂ、ｃ、ｃ’各領域が対称となるように構成されており、点線部で裁断し、Ｒ側で右側の身頃、Ｌ側で左側の身頃を形成する。
【００２５】
本考案においては、前記伸縮性編地を使用し、前記低伸度領域を脇部に、前記強伸度領域を股布部の前部から後部に亘る裾廻り部に当接するようショーツまたはガードルを形成する。図３は、前記図２の伸縮性編地を点線部で裁断して形成するショーツの正面図、図４は、図３のショーツの背面図である。図２の伸縮性編地における低伸度領域ａはショーツの脇部７に、強伸度領域ｂはショーツの股布部６の前部から後部に亘る裾廻り部５に当接するよう配置されている。中伸度領域ｃ、ｃ’はそれぞれ、腹部相当部および臀部相当部になる。図１における両矢印Ｆの範囲は前身頃側、両矢印Ｂの範囲は後身頃側となる。
【００２６】
本考案の伸縮性編地を用いて形成されるショーツまたはガードルにおいて、伸縮性布地の接合方法は縫合など従来使用する方法を使用でき、股部の構成も特に限定されない。また、本考案の作用を阻害しない範囲で装飾等の他の構成を有していても良い。
【産業上の利用可能性】
【００２７】
本考案によるショーツまたはガードル用伸縮性編地は、一連の編地で、他の部材を用いることなく部位により異なる伸縮性を有してフィット性や着用感、安定性、脇部及び臀部下の裾廻り部や腹部のサポート性、外観性に優れるショーツまたはガードルを形成可能であるため、補整機能を有し、かつアウターウエアへの影響が少ないショーツまたはガードルの形成用として有用であり、伸縮性調節のための他の部材を必要としないことから、コスト的にも有利である。
【図面の簡単な説明】
【００２８】
【図１】本考案の実施形態である伸縮性編地における伸度の異なる領域の区分および柄密度の異なる領域の区分を示す説明図。
【図２】図１の構成の領域および反転された領域形状を交互に形成した場合の繰り返し１単位分を示す説明図。
【図３】図２の裁断パターンを用いて形成したショーツの正面図。
【図４】図３のショーツの背面図。
【図５】本考案の伸縮性編地における柄密度の異なる領域の区分の別の例を示す説明図。
【符号の説明】
【００２９】
ａ  低伸度領域
ｂ  強伸度領域
ｃ、ｃ’  中伸度領域
Ｆ  前身頃相当部
Ｂ  後身頃相当部
ｒ  低伸度領域の傾斜角度
ｒ’  細幅部の傾斜角度
Ｘ  網幅方向
Ｙ  コース方向
Ｓ  低伸度領域の開始位置
１  強伸度領域のない端部側
２  太幅部
３  細幅部
【図１】
0003123536.tif 000003
【図２】
0003123536.tif 000004
【図３】
0003123536.tif 000005
【図４】
0003123536.tif 000006
【図５】
0003123536.tif 000007